(57)【要約】【課題】左右に開放可能な扉を採用でき、食器に付着した水滴等が周囲に飛散することを防止する。【解決手段】ケーシング１内の洗浄槽３に食器カゴ４を収容し、前記ケーシング１の前面下方に設けた操作パネル５を操作することにより、収容した食器を洗浄及び乾燥する。前記食器カゴ４は、洗浄槽３から引き出し可能に配置する。前記ケーシング１に、食器カゴ４を洗浄槽３内に収容した状態で、食器カゴ４の前面側に起立する垂直位置と、食器カゴ４を洗浄槽３から引き出した状態で、食器カゴ４の下方に位置する水平位置との間で回動可能な水受部材１０を設ける。【選択図】  図１
2004351068.tif 000002
【特許請求の範囲】
【請求項１】
ケーシング内の洗浄槽に食器カゴを収容し、前記ケーシングの前面下方に設けた操作パネルを操作することにより、収容した食器を洗浄及び乾燥する食器洗い乾燥機において、
前記食器カゴは、洗浄槽から引き出し可能に配置し、
前記ケーシングに、食器カゴを洗浄槽内に収容した状態で、食器カゴの前面側に起立する垂直位置と、食器カゴを洗浄槽から引き出した状態で、少なくとも前記操作パネルの上方を覆うと共に食器カゴの下方に位置する水平位置との間で回動可能な水受部材を設けたことを特徴とする食器洗い乾燥機。
【請求項２】
前記ケーシングは、水受部材を垂直位置へと付勢する付勢部材を備えたことを特徴とする請求項１に記載の食器洗い乾燥機。
【請求項３】
前記水受部材は、ケーシングに着脱可能に設けたことを特徴とする請求項１又は２に記載の食器洗い乾燥機。
【請求項４】
前記水受部材は、保持部材を介してケーシングに取り付けられ、
前記保持部材は、ケーシングに設けた軸部が貫通して回動自在に支持される軸受部と、前記水受部材から突出する突起を着脱可能に保持する保持部とを備え、
前記保持部材には、前記水受部材を垂直位置へと付勢する付勢手段を設けたことを特徴とする請求項３に記載の食器洗い乾燥機。
【請求項５】
前記水受部材は、洗浄槽内に供給する洗剤を準備するための洗剤供給部を備えたことを特徴とする請求項１乃至４のいずれか１項に記載の食器洗い乾燥機。
【請求項６】
前記水受部材は、食器カゴの一部を露出させて引き出す際に把持可能とする切欠部を備えたことを特徴とする請求項１乃至５のいずれか１項に記載の食器洗い乾燥機。
【請求項７】
前記水受部材は、洗浄槽に着脱される金網から延びる把持部を把持可能に露出させる切欠部を備えたことを特徴とする請求項１乃至６のいずれか１項に記載の食器洗い乾燥機。
【発明の詳細な説明】
【０００１】
【発明の属する技術分野】
本発明は、食器洗い乾燥機に関するものである。
【０００２】
【従来の技術】
従来、食器洗い乾燥機として、洗浄槽内に、食器が載置される食器カゴが収容され、支軸を中心として回動自在に連結された開閉扉が、前記ケーシングの前面の左右いずれか一方に位置するように折り畳まれることにより、前記食器を出し入れできるようにしたものが公知である（例えば、特許文献１参照）。
【０００３】
また、他の食器洗い乾燥機として、カゴを水受け用トレーに保持し、洗浄槽内にはカゴのみを収容可能としたものが公知である（例えば、特許文献２参照）。
【０００４】
【特許文献１】
特開２００２−２８２１８８号公報
【特許文献２】
特開平１１−３１８７９５号公報
【０００５】
【発明が解決しようとする課題】
しかしながら、前者の食器洗い乾燥機では、洗浄槽から食器カゴを引き出して食器を出し入れできるようにした場合、食器に付着した水滴等が操作パネル等に飛散するという問題がある。
【０００６】
一方、後者の食器洗い乾燥機では、扉を前方に倒して開放する構成としなければならず、設置場所が制約されるという問題がある。
【０００７】
そこで、本発明は、左右に開放可能な扉を採用でき、食器に付着した水滴等が操作パネル等に飛散することのない食器洗い乾燥機を提供することを課題とする。
【０００８】
【課題を解決するための手段】
本発明は、前記課題を解決するための手段として、ケーシング内の洗浄槽に食器カゴを収容し、前記ケーシングの前面下方に設けた操作パネルを操作することにより、収容した食器を洗浄及び乾燥する食器洗い乾燥機において、
前記食器カゴは、洗浄槽から引き出し可能に配置し、
前記ケーシングに、食器カゴを洗浄槽内に収容した状態で、食器カゴの前面側に起立する垂直位置と、食器カゴを洗浄槽から引き出した状態で、少なくとも前記操作パネルの上方を覆うと共に食器カゴの下方に位置する水平位置との間で回動可能な水受部材を設けたものである。
【０００９】
この構成により、洗浄槽から食器カゴを引き出すと、水受部材が垂直位置から水平位置へと回動し、食器カゴの引き出し部分の下方に位置する。したがって、食器から水滴等が落下しても、水受部材によって回収することができ、操作パネル等に飛散することがない。また、水受部材は食器カゴの引き出し部分を支持することも可能である。
【００１０】
前記ケーシングは、水受部材を垂直位置へと付勢する付勢部材を備えると、食器カゴの引出動作及び押込動作に水受部材を連動させることが可能となる点で好ましい。
【００１１】
前記水受部材は、ケーシングに着脱可能に設けると、洗浄等、メンテナンスが容易となる点で好ましい。
【００１２】
前記水受部材は、保持部材を介してケーシングに取り付けられ、
前記保持部材は、ケーシングに設けた軸部が貫通して回動自在に支持される軸受部と、前記水受部材から突出する突起を着脱可能に保持する保持部とを備え、
前記保持部材には、前記水受部材を垂直位置へと付勢する付勢手段を設けるようにすればよい。
【００１３】
前記水受部材は、洗浄槽内に供給する洗剤を準備するための洗剤供給部を備えると、使い勝手を向上させることが可能となる点で好ましい。
【００１４】
前記水受部材は、食器カゴの一部を露出させて引き出す際に把持可能とする切欠部を備えると、食器カゴを出し入れ操作する際の指標とすることができ、操作性を高めることが可能となる点で好ましい。
【００１５】
前記水受部材は、洗浄槽に着脱される金網から延びる把持部を把持可能に露出させる切欠部を備えるようにしてもよい。
【００１６】
【発明の実施の形態】
以下、本発明に係る実施形態を添付図面に従って説明する。
【００１７】
図１は、本実施形態に係る食器洗い乾燥機を示す。この食器洗い乾燥機では、ケーシング１の前面に設けた開閉扉２を開放し、図２に示すように、内部の洗浄槽３に収容した食器カゴ４に食器を出し入れできるようになっている。
【００１８】
ケーシング１には、前面下方に操作パネル５（詳細は図示せず）が設けられている。また、ケーシング１は、図２に示すように、内部空間が仕切壁６によって洗浄槽３と下部空間とに区画されている。洗浄槽３の下方側には、前後方向に延びるレール７が、ケーシング１の左右方向に所定間隔で設けられている。また、洗浄槽３の前面開口部には、その下縁部に水受部材８が設けられている。
【００１９】
水受部材８は、図３及び図６に示すように、保持部材９を介してケーシング１に取り付けられ、起立した垂直位置（図６中、実線で示す。）と、洗浄槽３から突出する水平位置（図６中、２点鎖線で示す。）との間で回動可能である。水受部材８には、水平位置で上面に食器から落下する水滴を貯留するために、断面円弧状の水受凹部１０が形成されている。また、水受部材８には、回転中心側の縁部に、円弧状に除去された第１切欠部１１が形成され、自由端側の縁部に、円弧状に除去された第２切欠部１２と、円弧状に突出する洗剤供給部１３とがそれぞれ形成されている。第１切欠部１１は、洗浄槽３の一部に着脱可能に設けた金網１４から延びる把持部１５を露出させるための逃がしである。金網１４には、食器等に付着していた食品の残滓等が回収される。第２切欠部１２は、洗浄槽３から食器カゴ４を引き出す際、食器カゴ４の一部を露出させて把持することができるようにするための逃がしである。洗剤供給部１３は、洗浄槽３内に供給する洗剤を準備しておくためのスペースである。
【００２０】
保持部材９は、図５に示すように、水受部材８の両側縁部から２箇所ずつ突出する突起１６ａ，１６ｂを保持する保持部１７と、スプリング１８が配設される軸受部１９とを備える。
【００２１】
保持部１７は、各突起１６に対応して２箇所に係止受部２０ａ，２０ｂを形成されている。一方の係止受部２０ａは、突起１６ａを支持するだけのものであるが、他方の係止受部２０ｂは、ガイド片２１と係止受片２２とで構成されている。係止受片２２は、内面側に係止突部２３を備え、弾性変形可能となっている。これにより、ガイド片２１によって案内された突起１６ｂが係止受片２２に至ると、係止突部２３が突起１６ｂに圧接して抜止する。
【００２２】
軸受部１９は、ケーシング１に設けた軸部１ａが貫通する貫通孔２４と、軸部１ａに巻き付けたスプリング１８の一端側延設部が位置して圧接する凹所２５とを形成されている。スプリング１８の他端側延設部は、ケーシング１のスプリング受部１ｂに圧接されている。これにより、スプリング１８は、保持部材９を介して水受部材８を垂直方向に回動させるように付勢する。
【００２３】
なお、洗浄槽３の底部には、後述する食器カゴ４の第２補助カゴ部に当接してその移動を阻止するストッパ部２６（図２参照）が立設されている。また、洗浄槽３の下部には食器に洗浄水を噴射させるためのノズル等が配置され、下方空間にはノズルを駆動するためのモータや制御装置等が収容されているが、本発明とは直接関係しないため、その図示及び説明を省略する。
【００２４】
開閉扉２は、図１に示すように、支軸２７を中心として回動自在に連結された一対の扉体２８で構成され、ケーシング１の左右いずれか一方に折り畳んだ状態で開放される（詳しくは、例えば、特開２００２−２８２１８８号公報参照）。
【００２５】
食器カゴ４は、図３及び図４に示すように、主カゴ部２９と、その両側部に設けられる補助カゴ部３０とからなる。
【００２６】
主カゴ部２９は、所定間隔で上方に向かって離れるように配置した一対の線材（支持線材３１）を、前後左右に格子状とした線材に溶接等で並設一体化したもので、茶碗や汁碗、あるいは皿等を洗浄槽３の左右方向に並べて載置することができるようになっている。主カゴ部２９は、前後方向に延びる２本の線材にガイド部３２を装着されている。ガイド部３２は、洗浄槽３に設けたレール７に載置され、スライド自在に支持される。
【００２７】
補助カゴ部３０は、主カゴ部２９の両側に位置する線材に取り付けられている。図３中、左側に位置する補助カゴ部（第１補助カゴ部３０ａ）は、茶碗等を載置するためのスペースで、前記主カゴ部２９と同様に一対の線材によって茶碗を左右方向に平行に載置することができるようになっている。第１補助カゴ部は、食器を載置するための水平位置と、食器カゴ４を洗浄槽３から取り出す際に折り畳んだ垂直位置との間で回動するように線材に連結されている。
【００２８】
また、図３中、右側に位置する補助カゴ部（第２補助カゴ部３０ｂ）は、中皿等を載置するためのスペースで、前記主カゴ部２９と同様に一対の線材によって中皿を左右方向に平行に載置することができるようになっている。皿は、第２補助カゴ部３０ｂの占有スペースを越えて前後方向にはみ出した状態で載置される。第２補助カゴ部３０ｂは、前記第１補助カゴ部３０ａと同様に、水平位置と垂直位置との間で回動するだけでなく、食器カゴ４を洗浄槽３から引き出す際に前後方向にスライドできるように線材に連結されている。
【００２９】
次に、前記構成の食器洗い乾燥機の動作について説明する。以下の説明では、本発明の特徴部分である食器カゴ４の動作に関連する部分に留め、その他の動作については省略する。
【００３０】
食器を入れる場合、開閉扉２を左右いずれかに開放し、食器カゴ４を前方へと引き出す。開閉扉２を開放した状態では、水受部材８はスプリング１８の付勢力により垂直位置に起立しているが、第２切欠部１２を介して食器カゴ４の一部を把持することができる。したがって、食器カゴ４の引き出しは容易に行うことができる。食器カゴ４を引き出すと、水受部材８は食器カゴ４に押圧され、スプリング１８の付勢力に抗して水平方向へと回動し、洗浄槽３から引き出された食器カゴ４の下方に位置する。このため、食器カゴ４に食器を載置する際、食器から落下する水滴等が操作パネル等に飛散することがない。また、食器カゴ４に食器が載置されることにより、洗浄槽３からの突出部分の重量も増大するが、この部分は水受部材８によって支持されることになり、安定した状態を維持する。
【００３１】
食器カゴ４への食器の収納が完了すれば、水受部材８の洗剤供給部１３に洗剤を準備し、食器カゴ４を洗浄槽３内へと押し込む。水受部材８はスプリング１８の付勢力に従って自動的に垂直位置へと起立し、洗剤供給部１３の洗剤と、水受凹部１０の水とが洗浄槽３内へと移動する。そして、開閉扉２を閉鎖し、操作パネル５を操作して所定の設定を行った後、食器の洗浄及び乾燥（洗浄のみ、乾燥のみでもよい。）を開始する。
【００３２】
食器の洗浄等が終了すれば、前記同様、開閉扉２を開放し、食器カゴ４を前方に引き出す。食器カゴ４は、水平方向に回動した水受部材８に支持され、引き出した状態は安定している。また、食器カゴ４の第２補助カゴ部３０ｂは、洗浄槽３のストッパ部２６に当接してスライドし、移動量が制限される。したがって、第２補助カゴ部３０ｂに皿が載置されていたとしても、この皿が（右側に）開放した開閉扉２と干渉することなく、食器カゴ４を引き出すことができる。
【００３３】
このように、前記食器カゴ４によれば、洗浄槽３から引き出した状態で食器を出し入れすることができるので、作業がしやすい。しかも、第２補助カゴ部３０ｂに中皿を載置できるようにすることにより、洗浄槽３内のスペースを有効利用することができる。その上、食器カゴ４を引き出す際、第２補助カゴ部３０ｂの中皿が開閉扉２と干渉することがない。
【００３４】
なお、洗浄槽３内を清掃する場合等には、第１及び第２補助カゴ部３０ａ及び３０ｂを内側に折り畳むことにより、食器カゴ４を洗浄槽３から簡単に取り出すことができる。また、金網１４に食器に付着していた食品の残滓等があれば、金網１４を取り外して清掃する。この場合、水受部材８を水平位置に回動させると、第１切欠部１１を介して把持部１５が露出するので、この把持部１５を掴んで簡単に金網１４を取り外すことができる。
【００３５】
【発明の効果】
以上の説明から明らかなように、本発明によれば、ケーシングに、食器カゴを洗浄槽から引き出した状態で、食器カゴの下方に位置させることのできる水受部材を回動可能に設けたので、開閉扉の構成に拘わらず、食器から落下する水滴等を回収して操作パネル等に飛散することを防止することができる。
【図面の簡単な説明】
【図１】本実施形態に係る食器洗い乾燥機の外観を示す斜視図である。
【図２】図１の部分縦断面図で、（ａ）は食器カゴの収容時、（ｂ）は食器カゴの引出時の状態をそれぞれ示す。
【図３】図１の平面断面図で、食器カゴの収容時の状態を示す。
【図４】図１の平面断面図で、食器カゴの引出時の状態を示す。
【図５】保持部材及び水受部材の一部を示す斜視図である。
【図６】水受部材の回動動作を示す部分断面図である。
【符号の説明】
１…ケーシング
２…開閉扉
３…洗浄槽
４…食器カゴ
５…操作パネル
６…仕切壁
７…レール
８…水受部材
９…保持部材
１０…水受凹部
１１…第１切欠部
１２…第２切欠部
１３…洗剤供給部
１４…金網
１５…把持部
１６…突起
１７…保持部
１８…スプリング
１９…軸受部
２０…係止受部
２１…ガイド片
２２…係止受片
２３…係止突部
２４…貫通孔
２５…凹所
２６…ストッパ部
２７…支軸
２８…扉体
２９…主カゴ部
３０…補助カゴ部
３０ａ…第１補助カゴ部
３０ｂ…第２補助カゴ部
３１…支持線材
３２…ガイド部
【図１】
2004351068.tif 000003
【図２】
2004351068.tif 000004
【図３】
2004351068.tif 000005
【図４】
2004351068.tif 000006
【図５】
2004351068.tif 000007
【図６】
2004351068.tif 000008